(57)【要約】【課題】空気調和機の据付工事時に、据付状態の多様化による、排出管の引き廻しが多様化し、排出管を強く引っ張ることによる、排出管が排出口より抜け、据付不良による水漏れがあった。【解決手段】空気調和機の水受け皿、または排出口に突起部、または溝部を設け、および排出管の外側または、内側に突起部を設け、これらを係合固定させることにより、据付工事の際に、排出管を強く引っ張られても抜けることがなく、据付工事による、排出口から排出管の抜けによる、水漏れ不良をなくすることを可能にしたものである。【選択図】図２
2006118736.tif 000002
【特許請求の範囲】
【請求項１】
熱交換器、排出口を具備した水受け皿、及び前記水受け皿の排出口に接続する排出管を有する空気調和機であって、前記水受け皿に突起部及び、排出管の外側に突起部を具備し、排出管を排出口に挿入した後、排出管を回転することにより前記水受け皿の突起部と、排出管の突起部が係合することにより、排出管の抜け防止を施した空気調和機。
【請求項２】
水受け皿の突起部、排出管の外側に突起部をそれぞれ複数個設けた、請求項1に記載の空気調和機。
【請求項３】
熱交換器、排出口を具備した水受け皿、及び前記水受け皿の排出口に接続する排出管を有する空気調和機であって、前記水受け皿に突起部及び、排出管の内側に突起部を具備、排出管を排出口に挿入した後、排出管を回転することにより前記水受け皿の突起部と、排出管の突起部が係合することにより、排出管の抜け防止を施した空気調和機。
【請求項４】
水受け皿の突起部、排出管の突起部をそれぞれ複数個設けた、請求項3に記載の空気調和機。
【請求項５】
熱交換器、排出口を具備した水受け皿、及び前記水受け皿の排出口に接続する排出管を有する空気調和機であって、前記排出口の外側に突起部を具備し、排出管の内側に突起部を具備、排出管を排出口に挿入した後、排出管を回転することにより前記水受け皿の突起部と、排出管の突起部が係合することにより、排出管の抜け防止を施した空気調和機。
【請求項６】
排出口の突起部、排出管の突起部をそれぞれ複数個設けた、請求項5に記載の空気調和機。
【請求項７】
熱交換器、排出口を具備した水受け皿、及び前記水受け皿の排出口に接続する排出管を有する空気調和機であって、前記排出口の外側に溝部を設け、排出管の内側に突起部を具備、排出管を排出口に挿入した後、排出管を回転することにより前記水受け皿の突起部と、排出管の突起部が係合することにより、排出管の抜け防止を施した空気調和機。
【請求項８】
排出口の溝部、排出管の突起部をそれぞれ複数個設けた、請求項7に記載の空気調和機。
【発明の詳細な説明】
【技術分野】
【０００１】
本発明は、空気調和機内部に発生した液体を空気調和機の外部に排出する、水受け皿、排出口及び排出管を有する空気調和機に関するものである。
【背景技術】
【０００２】
従来、この種の排出管の抜け防止としては、空気調和機の水受け皿に具備した排出口と配水管を接続し、排出菅の倒れを防止して、目的を達成する方法がとられていた（例えば特許文献１、２参照）。
【０００３】
図１０は、特許文献１に記載された従来の排出管と排出口の接続を示すものである。図１０に示すように、水受け皿２と、水受け皿２に具備した排出口３と、排出口３に排出口に接続された排出管７から構成されている。
【特許文献１】特開２００２−６１８６３号公報
【特許文献２】実開昭５７−０１９３３４号公報
【発明の開示】
【発明が解決しようとする課題】
【０００４】
しかしながら、上記従来の構成では、排出管の取りだし方向が一方向の場合は満足しているが、近年のように空気調和機取付の状況が多様化している状況で、排出管はいろいろな方向に引き出される場合が多く、他の方向では排出管を引っ張ると抜けが発生する可能性が有る課題を有していた。
【０００５】
本発明はこのような従来の課題を解決するものであり、排出管を、排出口に簡単に取りつけることができ、排出管の抜け防止を確実にする空気調和機を提供することを目的とする。
【課題を解決するための手段】
【０００６】
上記課題を解決するために本発明の空気調和機は、排出管の外側、または内側に突起部を設け、水受け皿、または排出口に突起部、または排出口の外側に溝部を設け、それらを係合固定することにより、排出管の抜け防止をすることができる、
【発明の効果】
【０００７】
本発明の空気調和機は、水受け皿、排出管、または排出口の内側若しくは外側に突起部等の係合部を設けるという簡単な構造で、空気調和機取り付け時にそれらを回転させるという簡単な作業内容で排出管の抜け防止を確実に安価に実現することができ、近年の多様化した空気調和機の取付状況に対応することができる。
【発明を実施するための最良の形態】
【０００８】
第１の発明は水受け皿に突起部を設け、排出管の外側に突起部を設け、各々を係合することにより、排出管の抜け防止をすることができる。
【０００９】
第２の発明は、特に、第１の発明の水受け皿、排出管の突起部を複数個、設け各々を系号することにより、さらにを抜け防止を確実にすることができる。
【００１０】
第３の発明は、特に、第１発明の排出管の突起部を排出管の内側に設け、水受け皿の突起部と係合することにより、排出管の抜け防止をすることができる。
【００１１】
第４の発明は、特に、第３の発明の、排出管の突起部と、水受け皿の突起部を複数個、設け排出管の抜け防止を更に確実にすることができる。
【００１２】
第５の発明は、特に第３の発明の、排出管の内側に設けた突起部と、排出口の外側に設けた突起部を係合することにより、排出管の抜け防止をすることができる。
【００１３】
第６の発明は、特に、第５の発明の、排出管の内側に設けた突起部、排出口の外側に設けた突起部を、それぞれ複数個設け、各々を係合することにより、さらに排出管の抜け防止を確実にすることができる。
【００１４】
第７の発明は、特に、第３の発明の、排出管の内側に設けた突起部と、排出口の外側に設けた溝部と係合することにより、排出管の抜け防止をすることができる。
【００１５】
第８の発明は、特に、第７の発明の、排出管の内側の突起部と、排出口の外側の溝部を複数個設け、各々を係合することにより、さらに排出管の抜け防止を確実にすることができる。
【００１６】
以下、本発明の実施の形態について、図面を参照しながら説明する。なお、この実施の形態によって本発明が限定されるものではない。
【００１７】
（実施の形態１）
図１は本実施例を示す排出管抜け防止の空気調和機の横断面図である。本図において,１は熱交換器、２は水受け皿、3は排出口、4は外装を構成する前面枠、５は外装を構成する吸入パネル、６は室内の空気を循環する室内送風ファンである。図２は本実施例を示した要部拡大図、側面図である。本図において、２は水受け皿、２ａは、前期水受け皿２に具備した略Ｌ字状の突起部、３は前記水受け皿に具備した排出口、７は前記排出口に接続して、空気調和機より発生した凝縮水等を外部に排出する排出管、７ａは排出管の外側に具備した略直方体の突起部である。
【００１８】
水受け皿の突起部２ａと、排出管の突起部７ａとが一直線にならないような位置関係で排出管７を排出口３に挿入し、その後回転させることにより、水受け皿２の略Ｌ字状の突起部２ａの凹部分に、排出管の突起部７ａが係合することにより、排出管７の抜け防止をすることができる。
【００１９】
尚、本実施の形態では、前期水受け皿２に具備した突起部を略Ｌ字状、排出管の外側に具備した突起部を略直方体としたが、それぞれ逆であっても、また双方共に略Ｌ字状であっても、また他の組合せであっても互いに係合できる形状であれば構わない。
【００２０】
（実施の形態２）
図３は、実施の形態1で説明した、水受け皿２に具備した、略Ｌ字状の突起部２ａを水受け皿に複数個、及び排出管7の外側に設けた略直方体の突起部７ａを複数個設けることにより、さらに確実に排出管7の抜け防止を施したものである。
【００２１】
（実施形態３）
図４は、実施の形態1で説明した、水受け皿２に具備した略Ｌ字状の突起部２ａと、排出管７の内側に取り付けた略直方体の突起部７ｂを回転係合することにより、排出管７の抜けを防止することができる。
【００２２】
（実施形態４）
図５は、実施の形態３で説明した、水受け皿２に具備した、略Ｌ字状の突起部２ａを水
受け皿に複数個、及び排出管７の内側に設けた略直方体の突起部７ｂを複数個設けることにより、さらに確実に排出管７の抜け防止を施したものである。
【００２３】
（実施形態５）
図６は、排出口３の外側に、略Ｌ字状の突起部３ａを具備し実施形態４で説明した、排出管7の内側に具備した略直方体の突起部７ｂと係合し、排出管７の抜け防止を施したものである。
【００２４】
（実施形態６）
図７は、実施の形態５で説明した、排出口３に具備した略Ｌ字状の突起部３ａ排出口３の外側に複数個、及び排出管７の内側に設けた略直方体の突起部７ｂを複数個設けることにより、さらに確実に排出管７の抜け防止を施したものである。
【００２５】
（実施形態7）
図８は、排出口3の外側に略Ｌ字状の溝部3ｂを設け、実施形態６で説明した、排出管７の内側に具備した略直方体の突起部７ｂである。
【００２６】
排出管の突起部７ｂを、排出口3の外側に略Ｌ字状の溝部3ｂに嵌合させながら排出管７を排出口３に挿入し、その後回転させることにより、水受け皿２の略Ｌ字状の溝部3ｂの凹部分に排出管の突起部７ｂを係合し、排出管７の抜け防止を施したものである。
【００２７】
（実施形態８）
図９は、実施形態７で説明した排出口3の外側に略Ｌ字状の溝部3ｂ及び、排出管７の内側に略直方体の突起部７ｂを複数個設けることにより、さらに確実に排出管７の抜け防止を施したものである。
【産業上の利用可能性】
【００２８】
以上のように、本発明にかかる空気調和機は、排出管の抜け防止が可能となるので、他の排出管、排出口を有する機器にも適用できる。
【図面の簡単な説明】
【００２９】
【図１】本発明の実施形態１における空気調和機の横断面図
【図２】本発明の実施形態１における空気調和機の要部斜視図、及びその側面図
【図３】本発明の実施形態２における空気調和機の要部斜視図、及びその側面図
【図４】本発明の実施形態３における空気調和機の要部斜視図、及びその側面図
【図５】本発明の実施形態４における空気調和機の要部斜視図、及びその側面図
【図６】本発明の実施形態５における空気調和機の要部斜視図、及びその側面図
【図７】本発明の実施形態６における空気調和機の要部斜視図、及びその側面図
【図８】本発明の実施形態７における空気調和機の要部斜視図、及びその側面図
【図９】本発明の実施形態８における空気調和機の要部斜視図、及びその側面図
【図１０】従来の空気調和機の、水受け皿、排出口、排出管の取り付け図
【符号の説明】
【００３０】
１  熱交換器
２  水受け皿
２ａ  水受け皿に具備した突起部
３  排出口
３ａ  排出口の外側に具備した突起部
３ｂ  排出口の外側に具備した溝部
４  前面部
５  吸入パネル
６  室内送風ファン
７  排出管
７ａ  排出管外側に具備した突起部
７ｂ  排出管内側に具備した突起部
【図１】
2006118736.tif 000003
【図２】
2006118736.tif 000004
【図３】
2006118736.tif 000005
【図４】
2006118736.tif 000006
【図５】
2006118736.tif 000007
【図６】
2006118736.tif 000008
【図７】
2006118736.tif 000009
【図８】
2006118736.tif 000010
【図９】
2006118736.tif 000011
【図１０】
2006118736.tif 000012